(57)【特許請求の範囲】
【請求項１】
下端が開口され長手方向両側が傾斜して形成された横長の籠体と、この籠体の下端開口部に着脱自在に取り付けられ排水口に取り付け可能な係止具とを備えて構成されるとともに、
係止具は、籠体を長手方向に変位可能に係止する係止部を有することを特徴とするドレンカバー。
【請求項２】
籠体は、下端開口に係止具の係止部に係止される矩形状の枠を備え、籠体上面を湾曲させて形成したことを特徴とする請求項１に記載のドレンカバー。
【請求項３】
籠体は、丸棒状の細材を格子状に接合して構成されることを特徴とする請求項１または２に記載のドレンカバー。
【請求項４】
籠体は、格子状の板材から構成されることを特徴とする請求項１または２に記載のドレンカバー。
【請求項５】
籠体は、断面弧状に湾曲して形成された上面湾曲部と、この上面湾曲部の各側縁と下端開口枠とを接続する左右両側面部とを有して構成され、左右両側面部は空隙部の上下方向間隔を上下側で異ならせ、下側ほど狭くしたことを特徴とする請求項３または４に記載のドレンカバー。
【発明の詳細な説明】
【技術分野】
【０００１】
本発明は、屋根や屋外床の排水口に設置するドレンカバーに関するものである。
【背景技術】
【０００２】
一般に、屋根や樋、屋外床の排水口には、障害物の排水口への流入を阻止するため、ドレンカバーやストレーナが設けられる。従来、このようなドレンカバーとして、金属板からなる基材に多数の通水孔を形成し、下部に排水口内面に圧接されるロック片を設けたものが知られている（特許文献１参照）。また、例えば、建築構造物の雨水用樋において、樋本体の一部に形成された排水口に排水パイプを下向きに接続し、全体的に多数の小孔を有するカバーをその排水パイプの上端部に配置して、雨水がそのカバーの小孔を通ってから排水口を経て排水パイプ内に流入するようにした雨水用樋が提案されている（特許文献２参照）。
【先行技術文献】
【特許文献】
【０００３】
【特許文献１】特開２０１０−１１６７１６号公報
【特許文献２】特開平６−１１７０６５号公報
【発明の概要】
【発明が解決しようとする課題】
【０００４】
しかしながら、上記特許文献１に示す従来のドレンカバーでは、基材が切頭円錐状に形成されているので、枯葉や紙、プラスチックなどの薄片が基材上面に溜まりやすく基材上面を障害物が覆って目詰まりを起こし円滑に排水させることができない。このため、流入が阻止された枯葉などのごみや紙片などがカバーや網に溜まると、大雨などの際、雨水がスムーズに排水口に排出されず、樋や屋外床に雨水が溜まりオーバーフローしてしまうという問題がある。すなわち、駅舎や店舗などでは、利用者に迷惑をかけるだけでなく、エスカレータなどの運転にも支障をきたすおそれがある。また、上記特許文献２に示す雨水用樋では、横長のカバーの幅を樋本体の幅に対応させて形成しているので、設置場所に制約があり、排水口の回りに干渉するものがあると、ずらせて取り付けることができないという問題がある。さらに、カバーに錘を設けているので重量化してしまうという問題がある。
【０００５】
本発明は、上記課題を解決するためになされたもので、目詰まりを起こしにくく、また、排水口が制約のある場所に設置されていてもその現場に対応可能なドレンカバーを提供することを目的とするものである。
【課題を解決するための手段】
【０００６】
本発明の請求項１に係るドレンカバーは、下端が開口され長手方向両側が傾斜して形成された横長の籠体と、この籠体の下端開口部に着脱自在に取り付けられ排水口に取り付け可能な係止具とを備えて構成されるとともに、係止具は、籠体を長手方向に変位可能に係止する係止部を有することを特徴とするものである。
【０００７】
本発明の請求項１に係るドレンカバーでは、上記構成としたことにより、排水口に対して籠体を長手方向に変位させて取り付けることができるので、制約のある場所でも対応させて設置することができる。籠体が横長に形成され、しかも端部が傾斜しているので障害物が溜まりにくい。また、例え障害物が溜まっても籠体上部に空隙が確保されるので、円滑に排水させることができる。
【０００８】
本発明の請求項２に係るドレンカバーは、籠体は、下端開口に係止具の係止部に係止される矩形状の枠を備え、籠体上面を湾曲させて形成したことを特徴とするものである。
【０００９】
本発明の請求項３に係るドレンカバーは、籠体が、丸棒状の細材を格子状に接合して構成されることを特徴とするものである。
【００１０】
本発明の請求項４に係るドレンカバーは、籠体が、格子状の板材から構成されることを特徴とするものである。
【００１１】
本発明の請求項５に係るドレンカバーは、籠体は、断面弧状に湾曲して形成された上面湾曲部と、この上面湾曲部の各側縁と下端開口枠とを接続する左右両側面部とを有して構成され、左右両側面部は空隙部の上下方向間隔を上下側で異ならせ、下側ほど狭くしたことを特徴とするものである。
【発明の効果】
【００１３】
本発明に係るドレンカバーは、下端が開口され長手方向両側が傾斜して形成された横長の籠体と、この籠体の下端開口部に着脱自在に取り付けられ排水口に取り付け可能な係止具とを備えて構成されるとともに、係止具は、籠体を長手方向に変位可能に係止する係止部を有するようにしたので、制約のある場所でも対応させて設置することができる。また、籠体が横長に形成され、しかも端部が傾斜しているので障害物が溜まりにくい。さらに、例え障害物が溜まっても籠体上部に空隙が確保されるので、円滑に排水させることができる。
【図面の簡単な説明】
【００１４】
【図１】図１は、本発明の第１の実施形態に係るドレンカバーの取付時の状態を示す説明図である。
【図２】図２は、図１のドレンカバーの正面図である。
【図３】図３は、図１のドレンカバーの平面図である。
【図４】図４は、図１のドレンカバーの底面図である。
【図５】図５は、図１のドレンカバーの側面図である。
【図６】図６は、図１のドレンカバーに取り付けられる係止具を示す斜視図である。
【図７】図７の（Ａ）〜（Ｃ）はそれぞれ、図１のドレンカバーを排水口に取り付ける手順を示す説明図である。
【図８】図８の（Ａ）ないし（Ｃ）はそれぞれ、本発明の第２の実施形態に係るドレンカバーを示す平面図、その側面図および支持バーを示す説明図である。
【図９】図９は、図６の係止具の変形例を示す斜視図である。
【発明を実施するための形態】
【００１５】
以下、図面に示す第１の実施形態により本発明を説明する。図１は本発明の第１の実施形態に係るドレンカバーの取付時の状態を示す説明図、図２ないし図５はそれぞれ図１のドレンカバーを示す正面図、平面図、底面図および側面図である。上記実施形態に係るドレンカバー２は、屋根または屋外床１１の排水口１０（図７の（Ａ）、（Ｃ）参照）に設けられる。このドレンカバー２は、横長の籠体３とこの籠体３を排水口１０に取り付ける係止具２０とを備えて構成される。籠体３は、棒材４を交差させて接続し下部に開口５が形成されるとともに、上部を湾曲させ長手方向両側３Ａ、３Ｂを傾斜させて形成される。棒材４は金属製（ステンレス製）の円棒からなっている。籠体３の下端は矩形状に形成された棒材４からなる枠６により開口５が形成される。
【００１６】
籠体３は、両端が枠６の長手方向左右両枠材６Ａ、６Ｂに互いに等間隔で接続される円弧状材７と、これら円弧状材７と枠６との間を互いに等間隔で接続するコ字状材８と、両端の各円弧状材７Ａ、７Ｂとこれら各円弧状材７Ａ、７Ｂとそれぞれ接続される短辺方向の前後の各枠材６Ｃ、６Ｄとの間にこれら枠材６Ｃ、６Ｄと平行に設けられ円弧状材７とコ字状材８とを接続する横材９とを備えて構成される。籠体３は、上部が湾曲した円弧状に形成されているので、長手方向両側３Ａ、３Ｂには、枯葉や紙片などの固形物が溜まっても頂部は空隙が確保されるようになっている。
【００１７】
係止具２０は、図６に示すように、金属製のコ字状本体２１と脚２２とを備えて構成される。脚２２は、丸棒状部材を折曲して形成し、本体２１の内側に溶接している。すなわち、脚２２は、この本体２１の内側に下方に延長され折り曲げられて設けられ、下端が排水口１０の内面に圧接されるようになっている。本体２１の分岐枝延長端には、折曲部２３が、分岐枝接続部２４には、折曲部２３の折曲端に向かい合って起立部２５がそれぞれ形成される。係止具２０は、ドレンカバー２の取り付け時、まず、排水口１０に脚２２を差し入れて排水口１０に取り付けられるようになっている（図７の（Ａ）参照）。次に、籠体３の一方の枠材６Ｃ（または６Ｄ）を籠体３を傾斜させて折曲部２３に差し入れ（図７の（Ｂ）参照）、籠体３を水平になるよう揺動させ、他方の枠材６Ｄ（または６Ｃ）の外縁が起立部２５に当たって、籠体３と接続される（図７の（Ｃ）参照）。この起立部２５はストッパとしての機能を果たす。このため、引っ掛けるだけでワンタッチで装着することができる。このようにして、籠体３は係止具２０を介して排水口１０に取り付けられるようになっている。取り付け時、籠体３は矩形状枠６のどの位置であっても係止具２０に取り付けることができるので、制約のある場所であっても長手方向位置を調整することができる。
【００１８】
次に、本実施形態に係るドレンカバー２の作用について説明する。本実施形態に係るドレンカバー２は、屋根または屋外床１１の排水口１０に係止具２０を取り付け、この係止具２０に籠体３を装着すると、籠体３は排水口１０に係止具２０を介して取り付けられる。籠体３は、上部が湾曲した円弧状に形成されているので、長手方向両側３Ａ、３Ｂには、枯葉や紙片などの固形物や障害物が溜まっても頂部には空隙が確保される。このため、円滑に排水させることができる。また、係止具２０を排水口１０に取り付ける際、周方向位置を自在に決めることができ、しかも、籠体３を係止具２０に装着する際には、長手方向位置を調整して取り付けることができるので、制約のある場所でも対応させることができる。
【００１９】
なお、上記実施形態では、籠体３を平面矩形状に形成しているがこれに限られるものではなく、平面弧状や屈曲させて形成してもよい。また、上記実施形態では、籠体３全体を平円柱の一部を切り取ったアーチ状の形状にしているがこれに限られるもではなく、上部に湾曲した頂部が、長手方向両側に直線状の傾斜部がそれぞれ確保されていればよいことはいうまでもない。
【００２０】
次に、本発明の第２の実施形態に係るドレンカバーについて説明する。第２の実施形態に係るドレンカバー１０２は、上記第１の実施形態に係るドレンカバー２が、籠体３を構成する棒材４を金属製丸棒から構成しているのに対し、籠体１０３を金属製薄板を格子状に打ち抜いたパンチングメタルから構成している点が異なっている外はほぼ同一の構成を備えている。すなわち、本実施形態に係るドレンカバー１０２は、籠体１０３が矩形状横長の格子状パンチングメタルを断面円弧状に湾曲させた上面湾曲部１０７（図８の（Ａ）参照）と、上面湾曲部の各側縁１０７Ａ、１０７Ｂに溶接され、これら各側縁１０７Ａ、１０７Ｂからそれぞれ垂設された左右両側面部１０６Ａ、１０６Ｂとを有して構成される。すなわち、上面湾曲部１０７の長手方向両側１０３Ａ、１０３Ｂは湾曲されるとともに、各側面部１０６Ａ、１０６Ｂは格子状パンチングメタルを円弧状の平板にカットして形成され、外周がそれぞれ、図８の（Ｂ）に示すように、劣弧の両端を直線で結んだ形状をしている。なお、金属製薄板の打ち抜きは、レーザー加工でもよいし、プレスによる型抜き加工でもよい。
【００２１】
枠部（枠）１０６は、各側面部１０６Ａ、１０６Ｂの下端部と上面湾曲部１０７の下端部とをそれぞれ接続して構成される。枠部１０６により下端開口部１０５が形成される。各側面部１０６Ａ、１０６Ｂは、上面湾曲部１０７の各側縁１０７Ａ、１０７Ｂと枠部１０６とを接続するようになっている。この枠部１０６には、長手方向の２箇所に側面部１０６Ａ、１０６Ｂの撓みを防ぐ支持バー１０８Ａ、１０８Ｂ（図８の（Ｃ）参照）が溶接されて連結される。支持バー１０８Ａ、１０８Ｂは中央からそれぞれ均等な距離で且つ枠部１０６の長手方向両端側からもそれぞれ均等な距離で枠部１０６に固定される。そして、この枠部１０６には、長手方向の所望の位置に係止具１２０が着脱自在に取り付けられるようになっている。籠体１０３の各側面部１０６Ａ、１０６Ｂにはそれぞれ、ほぼ正方形状または矩形状空隙部Ｓ１〜Ｓ３が形成される。空隙部Ｓ１〜Ｓ３の上下方向間隔Ｈ１〜Ｈ３は上下側で異ならせて形成され、下側ほど狭くしている（Ｈ１＞Ｈ２＞Ｈ３）。このため、紙や枯葉などの障害物が樋に堆積しても排水口１０側に流れ込みにくくなっている。
【００２２】
本実施形態に係るドレンカバー１０２では、上述のように、上面湾曲部１０７と各側面部１０６Ａ、１０６Ｂとの三片と支持バー１０８Ａ、１０８Ｂとを溶接するだけで籠体１０３を製造することができ、溶接点を少なくすることができ、製作精度が向上し均一な品質を確保することができる。このように、上記第１の実施形態に係るドレンカバー２に比較して、製作が容易でコストダウンを図る効果がある。
【００２３】
図９は、上記第１実施形態に係る係止具２０の変形例に係るもので、この変形例に係る係止具１２０は、上記第１実施形態に係る係止具２０の脚２２が、丸棒状部材を、本体２１の内側に溶接しているのに対し、脚１２２を折曲された平板状部材から構成し、この平板状脚１２２の上端折曲部１２２Ａを本体１２１のＵ字状内側面に溶接し、下方に延びる脚部１２２Ｂの下部１２２Ｃが外側に向かって折り曲げられて構成されるようになっている。この下部１２２Ｃの折曲下端は排水口１０の内面に圧接されるようになっている。このように脚１２２を平板状部材により構成することにより溶接しやすくなっている。
【００２４】
なお、上記各実施形態に係るドレンカバー２、１０２は、金属により構成しているがこれに限られるものではなく、合成樹脂により成型してもよい。その場合、籠体と係止具とのうち、いずれか一方を金属製とし他方を合成樹脂製としてもよいし、両方を合成樹脂製としてもよい。また、籠体の形状は上記各実施形態のものに限られるものではなく、矩形の下端開口枠に接続された穹窿状（ドーム状）湾曲面からなる一体の上面により構成してもよい。さらに、籠体の空隙部の形状は矩形状に限られるものではなく、多種の形状としてもよい。その場合でも、下側の目を細かく上側の目を粗くすることが好ましい。
【符号の説明】
【００２５】
２、１０２  ドレンカバー
３、１０３  籠体
３Ａ、３Ｂ、１０３Ａ、１０３Ｂ  長手方向両側
５、１０５  開口
６  枠
１０  排水口
２０、１２０  係止具
１０６  枠部（枠）
【図１】
0006404202.tif 000002
【図２】
0006404202.tif 000003
【図３】
0006404202.tif 000004
【図４】
0006404202.tif 000005
【図５】
0006404202.tif 000006
【図６】
0006404202.tif 000007
【図７】
0006404202.tif 000008
【図８】
0006404202.tif 000009
【図９】
0006404202.tif 000010